(57)【要約】 【課題】  情報の効率的な編集処理が容易な記録・再生システムを提供する。【解決手段】  情報処理装置４００に装着した記録媒体あるいはＨＤのコンテンツ情報を情報処理装置４００に装着した外部メディアに記録する。外部メディアを携帯型の情報編集装置３００に装着し、コンテンツ情報を端末表示装置や端末スピーカ装置にて再生させる。この再生に基づいて、情報処理装置４００でコンテンツ情報を再生させるデータ領域を端末入力部の入力操作に基づいて設定する編集をし、編集スクリプト情報を生成させ、外部メディアに記録させる。外部メディア部を情報処理装置４００に再び装着させ、編集スクリプト情報を指令情報取得手段にて取得させ、記録媒体あるいはＨＤに記録させる。携帯型の情報編集装置３００で編集した内容でコンテンツ情報を再生でき、効率的な編集処理が容易にできる。【選択図】  図１
2005151362.tif 000002
【特許請求の範囲】
【請求項１】
出力手段にて出力される情報を取得する情報取得手段と、
前記取得した情報を送出する情報送出手段と、
前記送出される情報に基づいて端末装置にて生成される情報であって前記出力手段により前記情報を出力するときの出力状態に関する指令情報を、前記端末装置から取得する指令情報取得手段と、
取得した前記指令情報を、この指令情報の内容に基づいて前記情報が前記出力手段にて出力可能に前記記録媒体に記録する記録手段と、
を具備したことを特徴とした情報処理装置。
【請求項２】
請求項１に記載の情報処理装置であって、
前記端末装置に着脱可能に装着される外部記録媒体が着脱可能に構成され、
前記情報送出手段および前記指令情報取得手段は、前記外部記録媒体を介して前記端末装置に前記情報を送出可能または前記端末装置から前記指令情報を取得可能である
ことを特徴とした情報処理装置。
【請求項３】
請求項１または請求項２に記載の情報処理装置であって、
前記情報は、一連のストリームデータであり、
前記指令情報は、前記出力手段で出力させる前記情報の範囲に関する出力範囲情報を有した
ことを特徴とした情報処理装置。
【請求項４】
請求項１ないし請求項３のいずれかに記載の情報処理装置であって、
前記端末装置は、携帯可能な携帯型であって、情報を出力する端末出力手段と、入力操作により前記指令情報を生成させる端末入力手段と、を備えた
ことを特徴とした情報処理装置。
【請求項５】
各種情報を記録可能な記録媒体に記録され出力手段にて出力される情報を編集処理する情報編集装置であって、
前記情報を取得する端末情報取得手段と、
前記取得した情報を出力する端末出力手段と、
前記情報を前記出力手段で出力させるときの出力状態に関する指令情報を生成する指令情報生成手段と、
生成した前記指令情報を前記処理装置へ送出する端末情報送出手段と、
を具備したことを特徴とした情報編集装置。
【請求項６】
請求項１ないし請求項４のいずれかに記載の情報処理装置と、
請求項５に記載の情報編集装置と、
を具備したことを特徴とした情報処理システム。
【請求項７】
請求項１ないし請求項４のいずれかに記載の情報処理装置と、
この情報処理装置にて取得した前記情報を出力する出力手段と、
を具備したことを特徴とした再生装置。
【請求項８】
請求項６に記載の情報処理システムと、
この情報処理システムにて前記指令情報に基づいて処理された前記情報を出力する出力手段と、
を具備したことを特徴とした再生システム。
【請求項９】
各種情報を記録可能な記録媒体に記録され出力手段にて出力される情報を編集処理する情報処理方法であって、
前記情報を取得し前記情報を出力可能な端末出力手段を備えた端末装置に読み取らせ、
前記端末装置にて読み取った前記情報について入力操作に基づいて生成され前記出力手段で出力される状態に関する指令情報を前記端末装置から取得し、
前記取得した指令情報の内容に基づいて前記情報が出力手段にて出力される状態に前記記録媒体に前記指令情報を記録する
ことを特徴とする情報処理方法。
【請求項１０】
各種情報を記録可能な記録媒体に記録され出力手段にて出力される情報を編集処理する情報処理方法であって、
前記情報を読み取って前記出力手段にて出力可能に処理する処理装置から前記情報を取得し、
前記取得した情報について入力操作に基づいて前記出力手段で出力される情報に関する指令情報を生成し、
前記生成した指令情報の内容に基づいて前記情報が出力手段にて出力される状態に前記処理装置にて前記指令情報を取得して前記記録媒体に記録可能に前記指令情報を出力する
ことを特徴とする情報編集方法。
【請求項１１】
請求項９に記載の情報処理方法を演算手段に実行させる
ことを特徴とした情報処理プログラム。
【請求項１２】
請求項１０に記載の情報編集方法を演算手段に実行させる
ことを特徴とした情報処理プログラム。
【請求項１３】
請求項１１または請求項１２に記載の情報処理プログラムが演算手段にて読取可能に記録された
ことを特徴とした情報処理プログラムを記録した記録媒体。
【発明の詳細な説明】
【技術分野】
【０００１】
本発明は、記録媒体に記録された情報を編集処理する情報処理装置、情報編集装置、情報処理システム、再生装置、再生システム、それらの方法、そのプログラム、およびそのプログラムを記録した記録媒体に関する。
【背景技術】
【０００２】
近年、情報として例えばテレビジョン放送を録画・再生する再生装置として、複数の記録手段を備えた構成が知られている（例えば、非特許文献１参照）。このような再生装置は、記録手段として、大容量のハードディスク（ＨＤ：Hard Disk）と、ＤＶＤ−Ｒ（Digital Versatile Disc-Recordable）やＤＶＤ−ＲＷ（Digital Versatile Disc-ReWritable）、ＤＶＤ−ＲＡＭ（Digital Versatile Disc-Random Access Memory）などの記録媒体に読み出し可能に記録するドライブと、を備えている。そして、再生装置は、例えばＨＤに録画して適宜ＤＶＤなどの記録媒体へ記録したり、記録媒体へ直接記録したりする構成が採られている。
【０００３】
【非特許文献１】http://www3.pioneer.co.jp/catalog/pdf/hec_dvd_synthesis0307.pdf（２００３年９月３０日）
【発明の開示】
【発明が解決しようとする課題】
【０００４】
ところで、従来の再生装置では、例えばモニタに映し出される映像を確認しつつ映像を編集する構成が採られている。このため、映像の編集作業が再生装置を接続しているモニタの設置場所に限られる。したがって、映像を効率的に容易に編集できる構成が望まれている。
【０００５】
本発明の目的は、このような実情などに鑑み、情報の効率的な編集処理が容易な情報処理装置、情報編集装置、情報処理システム、再生装置、再生システム、それらの方法、そのプログラム、およびそのプログラムを記録した記録媒体を提供することである。
【課題を解決するための手段】
【０００６】
請求項１に記載の発明は、出力手段にて出力される情報を取得する情報取得手段と、前記取得した情報を送出する情報送出手段と、前記送出される情報に基づいて端末装置にて生成される情報であって前記出力手段により前記情報を出力するときの出力状態に関する指令情報を、前記端末装置から取得する指令情報取得手段と、取得した前記指令情報を、この指令情報の内容に基づいて前記情報が前記出力手段にて出力可能に前記記録媒体に記録する記録手段と、を具備したことを特徴とした情報処理装置である。
【０００７】
請求項５に記載の発明は、各種情報を記録可能な記録媒体に記録され出力手段にて出力される情報を編集処理する情報編集装置であって、前記情報を取得する端末情報取得手段と、前記取得した情報を出力する端末出力手段と、前記情報を前記出力手段で出力させるときの出力状態に関する指令情報を生成する指令情報生成手段と、生成した前記指令情報を前記処理装置へ送出する端末情報送出手段と、を具備したことを特徴とした情報編集装置である。
【０００８】
請求項６に記載の発明は、請求項１ないし請求項４のいずれかに記載の情報処理装置と、請求項５に記載の情報編集装置と、を具備したことを特徴とした情報処理システムである。
【０００９】
請求項７に記載の発明は、請求項１ないし請求項４のいずれかに記載の情報処理装置と、この情報処理装置にて取得した前記情報を出力する出力手段と、を具備したことを特徴とした再生装置である。
【００１０】
請求項８に記載の発明は、請求項６に記載の情報処理システムと、この情報処理システムにて前記指令情報に基づいて処理された前記情報を出力する出力手段と、を具備したことを特徴とした再生システムである。
【００１１】
請求項９に記載の発明は、各種情報を記録可能な記録媒体に記録され出力手段にて出力される情報を編集処理する情報処理方法であって、前記情報を取得し前記情報を出力可能な端末出力手段を備えた端末装置に読み取らせ、前記端末装置にて読み取った前記情報について入力操作に基づいて生成され前記出力手段で出力される状態に関する指令情報を前記端末装置から取得し、前記取得した指令情報の内容に基づいて前記情報が出力手段にて出力される状態に前記記録媒体に前記指令情報を記録することを特徴とする情報処理方法である。
【００１２】
請求項１０に記載の発明は、各種情報を記録可能な記録媒体に記録され出力手段にて出力される情報を編集処理する情報処理方法であって、前記情報を読み取って前記出力手段にて出力可能に処理する処理装置から前記情報を取得し、前記取得した情報について入力操作に基づいて前記出力手段で出力される情報に関する指令情報を生成し、前記生成した指令情報の内容に基づいて前記情報が出力手段にて出力される状態に前記処理装置にて前記指令情報を取得して前記記録媒体に記録可能に前記指令情報を出力することを特徴とする情報編集方法である。
【００１３】
請求項１１に記載の発明は、請求項９に記載の情報処理方法を演算手段に実行させることを特徴とした情報処理プログラムである。
【００１４】
請求項１２に記載の発明は、請求項１０に記載の情報編集方法を演算手段に実行させることを特徴とした情報処理プログラムである。
【００１５】
請求項１３に記載の発明は、請求項１１または請求項１２に記載の情報処理プログラムが演算手段にて読取可能に記録されたことを特徴とした情報処理プログラムを記録した記録媒体である。
【発明を実施するための最良の形態】
【００１６】
〔記録・再生システムの構成〕
以下、本発明に係る記録・再生システムにおける一実施の形態の構成を図面に基づいて説明する。なお、この一実施の形態では、記録媒体としてＤＶＤ−Ｒ（Digital Versatile Disc-Recordable）などに記録された情報を編集処理する構成について説明するが、本発明において対象となる記録媒体はこれに限らず、いずれの記録メディアも適用可能である。図１は、記録・再生システムの概略構成を示すブロック図である。図２は、情報処理装置の概略構成を示すブロック図である。図３は、情報編集装置の概略構成を示すブロック図である。
（記録・再生システムの概略構成）
【００１７】
図１において、１００は再生システムである記録・再生システムで、この記録・再生システム１００は、例えばテレビジョン放送や各種記録装置に記録された映像データや画像データ、音声データなどの情報であるコンテンツ情報を記録、編集および再生する。そして、この記録・再生システム１００には、再生装置２００と、情報編集装置３００と、を備えている。また、再生装置２００は、表示装置２１０と、スピーカ装置２２０と、情報処理装置４００と、を備えている。
【００１８】
再生装置２００の表示装置２１０は、情報処理装置４００に接続され、情報処理装置４００から出力される情報である映像データや画像データであるコンテンツ情報を取得して適宜処理し、出力すなわち画面表示する。また、表示装置２１０は、図示しないＴＶ受信機で受信したＴＶ画像データをも画面表示可能である。この表示装置２１０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。そして、表示装置２１０が情報処理装置４００からコンテンツ情報を取得する構成としては、例えばケーブルを介して取得したり、無線媒体により取得したり、いずれの方法が利用できる。
【００１９】
再生装置２００のスピーカ装置２２０は、例えば図示しないスピーカなどの発音手段および増幅部を備えている。このスピーカ装置２２０は、情報処理装置４００に接続され、情報処理装置４００から出力される情報としての音声データや音楽データであるコンテンツ情報を増幅部にて適宜増幅し発音手段から音声として出力すなわち発音させる。なお、スピーカ装置２２０は、例えばＴＶ受信機で受信したＴＶ音声データをも音声出力可能である。また、スピーカ装置２２０が情報処理装置４００からコンテンツ情報を取得する構成としては、例えばケーブルを介して取得したり、無線媒体により取得したり、いずれの方法が利用できる。
【００２０】
再生装置２００の情報処理装置４００は、例えばテレビジョン放送や図示しない外部の各種記録装置に記録された映像データや画像データ、音声データなどのコンテンツ情報やそのコンテンツ情報を再生させるための情報すなわち管理情報（ＶＭＧＩ：Video Manager Information）である指令情報としてのスクリプト情報などの各種情報を記録、編集および再生するための処理をする。そして、この情報処理装置４００は、例えば図２に示すように、入力手段４１０と、ドライブ機構部４２０と、ＨＤ（Hard Disk）部４３０と、メディア記録手段としての外部メディア部４４０と、情報処理装置４００全体を動作制御するＯＳ（Operating System）上に展開される各種プログラムとしての情報処理手段４５０および制御手段４６０と、を備えている。
【００２１】
入力手段４１０は、入力操作される図示しない各種操作ボタンや操作つまみなどを有している。この操作ボタンや操作つまみなどの入力操作の内容としては、例えば情報処理装置４００における動作内容の設定などの設定事項である。そして、入力手段４１０は、設定事項の入力操作により、所定の信号を制御手段４６０へ適宜出力して設定させる。なお、この入力手段４１０としては、操作ボタンや操作つまみなどの入力操作に限らず、例えばキーボードやマウス、表示装置２１０あるいは情報処理装置４００自体に設けられた図示しない表示装置などに設けられたタッチパネルによる入力操作や、音声による入力操作など、各種設定事項を設定入力可能ないずれの構成が適用できる。
【００２２】
ドライブ機構部４２０は、制御手段４６０による制御にて、着脱可能に装着された記録媒体にコンテンツ情報やスクリプト情報などの各種情報を記録および記録された情報を読み取る。ここで、記録媒体として、例えばＤＶＤ−Ｒ（Digital Versatile Disc-Recordable）やＤＶＤ−ＲＷ（Digital Versatile Disc-ReWritable）、ＤＶＤ−ＲＡＭ（Digital Versatile Disc-Random Access Memory）などを例示して説明するが、これらに限られない。このドライブ機構部４５０は、例えば図示しないピックアップと、回転駆動手段と、図示しない送りモータと、を備えている。ピックアップは、光などを用いて記録媒体の情報記録面に記録されたデータを読み取りあるいは記録する。なお、光に限らず、磁気などを用いる構成でも適用できる。回転駆動手段は、例えば記録媒体を支持するターンテーブルおよび記録媒体を線速度または角速度一定に回転駆動させるスピンドルモータを備えている。送りモータは、ピックアップを情報記録面に平行で、かつその径方向に沿って移動させる。
【００２３】
ＨＤ部４３０は、制御手段４６０による制御にて、各種情報を読み出し可能に記録する。このＨＤ部４３０は、ＨＤ４３１と、ＨＤＤ（Hard Disk Drive）４３２と、を備えている。ＨＤ４３１は、各種情報を読み出し可能に記録する。ＨＤＤ４３２は、制御手段４６０による制御にて、制御手段４６０から出力される情報をＨＤ４３１へ記録したり、ＨＤ４３１から情報を読み取って制御手段４６０へ出力したりする。
【００２４】
外部メディア部４４０は、制御手段４６０による制御にて、着脱可能に装着された例えばメモリーカードなどのシリコンデバイスである外部記録媒体としての図示しない外部メディアに各種情報を読み出し可能に記録する。この外部メディア部４４０は、メディアコネクタ４４１と、メディアドライバ４４２と、を備えている。メディアコネクタ４４１は、外部メディアが着脱可能に接続される。メディアドライバ４４２は、制御手段４６０から出力される情報をメディアコネクタ４４１に接続された外部メディアに記録したり、外部メディアに記録された情報を読み取って制御手段４６０へ出力したりする。なお、外部メディア部４４０は、記録させる情報として少なくともコンテンツ情報で、読み取る情報として少なくともスクリプト情報とした構成であればよい。
【００２５】
情報処理手段４５０は、制御手段４６０による制御にて、例えば情報処理装置４００に外部に臨んで設けられた入力端子４７０からコンテンツ情報を取得して処理する。また、情報処理装置４５０は、例えば情報処理装置４００に外部に臨んで設けられた出力端子４８０から、表示装置２１０あるいはスピーカ装置２２０で出力可能に処理する。なお、情報処理手段４５０における情報の入出力としては、入力端子４７０および出力端子４８０に代えて、例えば通信手段にて無線媒体を利用して入力処理する、入力あるいは表示装置２１０またはスピーカ装置２２０へ出力する構成としてもよい。
【００２６】
制御手段４６０は、例えば、入力手段４１０における入力操作により設定された設定事項に基づいて、情報処理装置４００に外部に臨んで設けられた入力端子４７０、あるいはドライブ機構部４２０やＨＤ部４３０、または外部メディア部４４０から各種情報を適宜取得し、記録媒体やＨＤ４３１、外部メディアなどに適宜記録したり、情報処理手段４５０を適宜制御して動作させ取得した情報を適宜処理し、表示装置２１０やスピーカ装置２２０から出力すなわち再生させたりする。そして、この制御手段４６０は、例えば情報処理装置４００全体を動作制御するＯＳ（Operating System）上に展開される各種プログラムとして、情報取得手段４６１と、指令情報取得手段４６２と、記録手段４６３と、などを備えている。
【００２７】
情報取得手段４６１は、入力手段４１０における入力操作により設定された設定事項に基づいて、例えばドライブ機構部４２０から記録媒体に記録されたコンテンツ情報を取得する。情報取得手段４６１は、取得した情報を外部メディア部４４０へ適宜出力する。また、情報取得手段４６１は、コンテンツ情報の他、各種情報を取得可能である。さらには、ドライブ機構部４２０からのみに限らず、例えば入力端子４７０から直接、あるいはＨＤ部４３０や外部メディア部４４０から各種情報を適宜取得可能に構成されている。これら取得した情報については、ドライブ機構部４２０、ＨＤ部４３０あるいは外部メディア部４４０などへ適宜出力されたり、処理されて出力されたりする。なお、情報取得手段４６１は、入力端子４７０で外部から情報を取得する構成に代えて、例えば通信手段にて無線媒体を利用して取得する構成としてもよい。
【００２８】
指令情報取得手段４６２は、入力手段４１０における入力操作により設定された設定事項に基づいて、外部メディア部４４０を制御し、メディアドライバ４４２によりメディアコネクタ４４１に接続された外部メディアから記録されているスクリプト情報を取得する。この取得したスクリプト情報は、記録手段４６３へ適宜出力される。
【００２９】
記録手段４６３は、入力手段４１０における入力操作により設定された設定事項に基づいて、指令情報取得手段４６２から出力されるスクリプト情報を取得し、ドライブ機構部４２０あるいはＨＤ部４３０へ適宜出力して記録させる処理をする。すなわち、記録手段４６３は、ドライブ機構部４２０あるいはＨＤ部４３０を制御して、ドライブ機構部４２０に装着された所定の記録媒体、あるいはＨＤ部４３０のＨＤ４３１にスクリプト情報を記憶させる処理をする。
【００３０】
一方、情報編集装置３００は、情報処理装置４００で記録媒体あるいはＨＤ４３１に記録されたコンテンツ情報の編集をする。すなわち、情報編集装置３００は、コンテンツ情報を表示装置２１０やスピーカ装置２２０にて再生させる状態を設定し、この設定した内容で記録媒体に記録されているコンテンツ情報が再生されるように処理をする。この情報編集装置３００は、例えば携帯電話やＰＨＳ(Personal Handyphone System)、ＰＤＡ（Personal Digital Assistant）、いわゆるノートパソコンである携帯型のパーソナルコンピュータ、リモートコントローラなどが例示できる。そして、情報編集装置３００は、端末入力部３１０と、端末表示装置３２０と、端末スピーカ装置３３０と、端末外部メディア部３４０と、端末制御手段３５０と、を備えている。
【００３１】
端末入力部３１０は、情報処理装置４００の入力手段４１０と同様に、入力操作される図示しない各種操作ボタンや操作つまみなどを有している。この操作ボタンや操作つまみなどの入力操作の内容としては、例えば情報編集装置３００における動作内容の設定などの設定事項の他、情報処理装置３００で記録媒体に記録されたコンテンツ情報を再生させる状態、すなわち再生させる範囲であるデータ領域を特定する出力範囲情報を有したスクリプト情報などである。そして、端末入力部３１０は、入力操作により、所定の信号を端末制御手段３５０へ適宜出力して設定事項やスクリプト情報などを設定させる。この端末入力部３１０においても、入力手段４１０と同様に、タッチパネルや音声入力などの各種構成が適用できる。
【００３２】
端末表示装置３２０は、端末制御手段３５０に制御され、端末制御手段３５０から出力される映像データや画像データなどのコンテンツ情報を取得して適宜処理し、出力すなわち画面表示する。この端末表示装置３２０は、表示装置２１０と同様に、各種表示装置が適用できる。
【００３３】
端末スピーカ装置３３０は、スピーカ装置２２０と同様に、発音手段および増幅部を備えている。そして、端末スピーカ装置３３０は、端末制御手段３５０に制御され、端末制御手段３５０から出力される音声データや音楽データなどのコンテンツ情報を適宜増幅するなどの処理をして音声として出力する。
【００３４】
端末外部メディア部３４０は、情報処理装置４００の外部メディア部４４０と同様に、端末制御手段３５０による制御にて、着脱可能に装着された外部記録媒体である図示しない外部メディアにコンテンツ情報やスクリプト情報などの各種情報を読み出し可能に記録する。この端末外部メディア部３４０は、外部メディアが着脱可能に接続される端末メディアコネクタ３４１と、端末制御手段３５０から出力される各種情報を端末メディアコネクタ３４１に接続された外部メディアに記録したり、外部メディアに記録された情報を読み取って端末制御手段３５０へ出力したりする。
【００３５】
端末制御手段３５０は、例えば、端末入力部３１０における入力操作により設定された設定事項などに基づいて、情報処理装置４００で表示装置２１０やスピーカ装置２２０で再生させる記録媒体に記録されたコンテンツ情報を、所定の状態で再生させるためにコンテンツ情報やスクリプト情報などの各種情報を処理する。この端末制御手段３５０は、例えば情報編集装置３００全体を動作制御するＯＳ（Operating System）上に展開される各種プログラムとして、端末情報取得手段３５１と、指令情報生成手段３５２と、端末情報送出手段３５３と、を備えている。
【００３６】
端末情報取得手段３５１は、端末入力部３１０における入力操作により設定された設定事項に基づいて、端末外部メディア部３４０を制御し、端末メディアコネクタ３４１に接続されている外部メディアから、表示装置２１０やスピーカ装置２２０で情報処理装置４００により再生させるコンテンツ情報を取得する。なお、端末情報取得手段３５１は、コンテンツ情報に限らず、他の各種情報を取得可能である。また、端末情報取得手段３５１は、外部メディアに記録されたコンテンツ情報を取得する構成の他、例えば通信手段によりネットワークや無線媒体を利用して情報処理装置４００からコンテンツ情報を直接取得する構成とするなどしてもよい。
【００３７】
指令情報生成手段３５２は、所定の入力操作により端末入力部３１０から出力される信号に基づいて、編集にて所定のデータ領域を再生させるコンテンツ情報の上述した出力範囲情報を有したスクリプト情報である編集スクリプト情報を生成する。この編集スクリプト情報は、例えば端末制御手段３５２が端末表示装置３２０を制御して、コンテンツ情報を編集するための表示画面を表示させ、この表示画面に基づいて利用者が端末入力部３１０によりコンテンツ情報を再生させるデータ領域を特定する入力操作に基づいて生成される。そして、指令情報生成手段３５２は、生成した編集スクリプト情報を端末情報送出手段３５３へ出力する。
【００３８】
端末情報送出手段３５３は、指令情報生成手段３５２から出力される編集スクリプト情報を取得し、端末外部メディア部３４０を制御して端末メディアコネクタ３４１に接続されている外部メディアに記録させる。なお、編集スクリプト情報を外部メディアに記録する構成の他、例えば通信手段により無線媒体を利用して情報処理装置４００へ編集スクリプト情報を直接出力して送出してもよい。
【００３９】
（情報処理装置の構成）
次に、情報処理装置４００の具体的な構成について、図４を参照して詳細に説明する。図４は、情報処理装置の具体的な構成を示すブロック図である。
【００４０】
情報処理装置４００は、上述したように、外部からコンテンツ情報などを取得する入力端子４７０と出力端子４８０とを備えている。そして、入力端子４７０は、図４に示すように、映像データや画像データなどのコンテンツ情報が入力される映像用入力端子４７１と、音声データや音楽データなどのコンテンツ情報が入力される音声用入力端子４７２とを備えている。これら映像用入力端子４７１および音声用入力端子４７２には、例えば図示しないＴＶ受信機や録画装置などが接続可能で、ＴＶ画像データやＴＶ音声データなどのコンテンツ情報が入力される。同様に、出力端子４８０は、映像データや画像データなどのコンテンツ情報を出力する映像用出力端子４８１と、音声データや音楽データなどのコンテンツ情報を出力する音声用出力端子４８２とを備えている。そして、映像用出力端子４８１には、表示装置２１０が接続され、出力するコンテンツ情報を表示装置２１０が適宜処理して画面表示する。また、音声用出力端子４８２には、スピーカ装置２２０が接続され、出力するコンテンツ情報をスピーカ装置２２０が適宜処理して音声出力する。
【００４１】
そして、これら入力端子４７０および出力端子４８０には、情報処理手段４５０が接続されている。この情報処理手段４５０は、上述したように、入力端子４７０から入力されるコンテンツ情報を適宜符号化や多重化処理などを実施してドライブ機構部４２０あるいはＨＤ部４３０または外部メディア部４４０へ出力して記録させたり、ドライブ機構部４２０あるいはＨＤ部４３０または外部メディア部４４０から取得した情報を適宜復号化処理などを実施して出力端子から出力させたりする。
【００４２】
すなわち、映像用入力端子４７１には映像用Ａ／Ｄ（Analog／Digital）コンバータ４５１Ａが接続され、音声用入力端子４７２には音声用Ａ／Ｄコンバータ４５１Ｂが接続されている。そして、映像用Ａ／Ｄコンバータ４５１Ａは、映像用入力端子４７１から入力されるアナログ信号のコンテンツ情報をデジタル信号に変換して出力する。音声用Ａ／Ｄコンバータ４５１Ｂは、音声用入力端子４７２から入力されるアナログ信号のコンテンツ情報をデジタル信号に変換して出力する。
【００４３】
また、映像用Ａ／Ｄコンバータ４５１Ａには、例えば第１の映像用エンコーダ４５２Ａおよび第２の映像用エンコーダ４５２Ｂが接続されている。第１の映像用エンコーダ４５２Ａは、デジタル信号に変換された映像データや画像データなどのコンテンツ情報を、例えば国際電気通信連合（ＩＴＵ−ＴＳ）と国際標準化機構（ＩＳＯ）で制定されたデジタル動画と音声の圧縮・伸長に関する規格であるＭＰＥＧ−１（Moving Picture Expert Group-1）あるいはＭＰＥＧ−２に基づいて符号化処理をする。また、第２の映像用エンコーダ４５２Ｂは、第１の映像用エンコーダ４５２ＡにおけるＭＰＥＧ−１／２の代わりにＭＰＥＧ−４に基づいて符号化処理をする。なお、情報処理手段４５０におけるエンコード処理する構成としては、これらＭＰＥＧに限らず、映像や音声データを圧縮・伸張するプログラムであるコーデック（ＣＯＤＥＣ：Compression（圧縮）／Decompression（伸長））の一種のＤｉｖＸ（DivXNetworks提供）形式など、いずれの形式のものが利用できる。
【００４４】
一方、音声用Ａ／Ｄコンバータ４５１Ｂには、例えば第１の音声用エンコーダ４５３Ａおよび第２の音声用エンコーダ４５３Ｂが接続されている。第１の音声用エンコーダ４５３Ａは、デジタル信号に変換された音声データや音楽データなどのコンテンツ情報を、例えばデジタルサラウンドシステムであるＡＣ−３（Audio Code number 3）に基づいて符号化処理をする。第２の音声用エンコーダ４５３Ｂは、その他の規格などに基づいて符号化処理をする。
【００４５】
そして、第１の映像用エンコーダ４５２Ａおよび第１の音声用エンコーダ４５３Ａは第１のマルチプレクサ（multiplexer）４５４Ａが接続され、第２の映像用エンコーダ４５２Ｂおよび第２の音声用エンコーダ４５３Ｂは第２のマルチプレクサ４５４Ｂが接続されている。第１のマルチプレクサ４５４Ａは、第１の映像用エンコーダ４５２Ａから出力される符号化された映像データや画像データなどのコンテンツ情報と、第１の音声用エンコーダ４５３Ａから出力される符号化された音声データや音楽データなどのコンテンツ情報とを、単一チャンネルとして１つのまとまった信号に多重化処理して出力する。同様に、第２のマルチプレクサ４５４Ｂは、第２の映像用エンコーダ４５２Ｂから出力される符号化された映像データや画像データと、第２の音声用エンコーダ４５３Ｂから出力される符号化された音声データや音楽データとを、単一チャンネルとして１つのまとまった信号に多重化処理して出力する。
【００４６】
また、第１のマルチプレクサ４５４Ａおよび第２のマルチプレクサ４５４Ｂには、ストリームスイッチャ４５５Ａが接続されている。さらに、ストリームスイッチャ４５５Ａには、例えばＣＰＵ（Central Processing Unit）などを備えたシステム制御部４５５Ｂが接続されている。すなわち、ストリームスイッチ４５５Ａおよびシステム制御部４５５Ｂにて、情報取得手段４６１、指令情報取得手段４６２および記録手段４６３が構成される。そして、ストリームスイッチャ４５５Ａは、システム制御部４５５Ｂからの制御信号に基づいて、第１のマルチプレクサ４５４Ａおよび第２のマルチプレクサ４５４Ｂから出力される多重化された信号を、ドライブ機構部４２０あるいはＨＤ部４３０または外部メディア部４４０へ出力し、記録媒体あるいはＨＤ４３１または外部メディアにコンテンツ情報を記録させる。なお、システム制御部４５５Ｂからの制御信号は、例えば入力手段４１０における入力操作により設定された設定事項に関し、このシステム制御部４５５Ｂに接続されたメモリ４５５Ｃに記憶された信号に基づく。また、ストリームスイッチャ４５５Ａは、システム制御部４５５Ｂからの制御信号に基づいて、ドライブ機構部４２０あるいはＨＤ部４３０または外部メディア部４４０から各種情報を取得し、適宜出力する。
【００４７】
そして、ストリームスイッチャ４５５Ａには、デマルチプレクサ４５６が接続されている。このデマルチプレクサ４５６は、ストリームスイッチャ４５５Ａから出力されるコンテンツ情報を取得し、多重化されたコンテンツ情報を、映像データや画像データなどのコンテンツ情報と、音声データや音楽データなどのコンテンツ情報とに分割し、出力する。
【００４８】
また、デマルチプレクサ４５６には、映像デコーダ４５７Ａと、音声デコーダ４５７Ｂと、が接続されている。映像デコーダ４５７Ａは、デマルチプレクサ４５６から出力される映像データや画像データなどのコンテンツ情報を例えばＭＰＥＧ方式で復号化し、出力する。また、音声デコード４５７Ｂは、デマルチプレクサ４５６から出力される音声データや音楽データなどのコンテンツ情報を復号化し、出力する。
【００４９】
さらに、映像デコーダ４５７Ａには映像用Ｄ／Ａコンバータ４５８Ａが接続され、音声デコーダ４５７Ｂには音声用Ｄ／Ａコンバータ４５８Ｂが接続されている。映像用Ｄ／Ａコンバータ４５８Ａは、映像デコーダ４５７Ａから出力される復号化された映像データや画像データなどのデジタル信号のコンテンツ情報をアナログ信号に変換する。そして、変換されたアナログ信号のコンテンツ情報は、この映像用Ｄ／Ａコンバータ４５８Ａが接続する映像用出力端子４８１から出力される。同様に、音声用Ｄ／Ａコンバータ４５８Ｂは、音声デコーダ４５７Ｂから出力される復号化された音声データや音楽データなどのデジタル信号のコンテンツ情報をアナログ信号に変換する。そして、変換されたアナログ信号のコンテンツ情報は、この音声用Ｄ／Ａコンバータ４５８Ｂが接続する音声用出力端子４８２から出力される。
【００５０】
また、映像デコーダ４５７Ａは第２の映像用エンコーダ４５２Ｂに接続され、復号化した映像データや画像データなどのコンテンツ情報を、再び第２の映像用エンコーダ４５２Ｂで符号化処理可能となっている。同様に、音声デコーダ４５７Ｂは第２の音声用エンコーダ４５３Ｂに接続され、復号化した音声データや音楽データなどのコンテンツ情報を、再び第２の音声用エンコーダ４５３Ｂで符号化処理可能となっている。
【００５１】
〔記録・再生システムの動作〕
次に、上記記録・再生システム１００における動作について図面を参照して説明する。なお、本実施の形態では、コンテンツ情報の一部を１つの領域で削除して再生される状態に編集する動作について説明するが、複数領域で削除したり、一部の領域を倍速で再生する状態など、いずれの再生状態となる編集内容を対象とすることができる。図５は、コンテンツ情報を時間軸で概念的に示す模式図で、（Ａ）は編集前の記録媒体に記録されたコンテンツ情報を示す模式図、（Ｂ）は編集後のコンテンツ情報を示す模式図である。図６は、スクリプト情報を示す概念図で、（Ａ）は記録媒体に記録されたスクリプト情報を示す概念図、（Ｂ）は編集後のスクリプト情報を示す概念図である。図７は、情報編集装置で生成したスクリプト情報を示す概念図である。
【００５２】
（コンテンツ情報の記録）
まず、コンテンツ情報を記録する記録動作について説明する。本実施の形態では、情報の記録としてテレビジョン放送を録画する動作について説明するが、この限りではなく、例えばラジオ放送や衛星放送、さらには外部機器に記録された映像データや画像データまたは音声データあるいは音楽データなどの各種コンテンツ情報の記録など、各種情報の記録が適用できる。
【００５３】
コンテンツ情報の記録に際して、利用者は情報処理装置４００に電源を適宜供給させて起動させ、例えばテレビジョン放送を録画する旨を入力手段４１０で入力操作する。この入力操作により、情報処理装置４００の制御手段４６０は、入力端子４７０から入力されるコンテンツ情報を情報処理手段４５０にて適宜処理させ、入力操作により設定された設定事項である記録先に関する情報に基づいて記録手段４６３にて処理したコンテンツ情報を記録させる。
【００５４】
すなわち、映像用入力端子４７１から入力される映像データや画像データなどのコンテンツ情報を映像用Ａ／Ｄコンバータ４５１Ａにてアナログ信号に変換するとともに、音声用入力手段４７２から入力される音声データや音楽データなどのコンテンツ情報を音声用Ａ／Ｄコンバータ４５１Ｂにてアナログ信号に変換する。この後、システム制御部４５５Ｂは、録画する旨の信号とともに入力手段４１０で入力された録画先の信号に基づき、デジタル信号に変換されたコンテンツ情報の符号化処理をする。すなわち、例えば録画先がＨＤ４３１および記録媒体のうちの少なくともいずれか一方である場合、デジタル信号に変換された映像データや画像データなどのコンテンツ情報を、第１の映像用エンコーダ４５２Ａにて例えばＭＰＥＢ−１／２に基づいて符号化処理させるとともに、デジタル信号に変換された音声データや画像データなどのコンテンツ情報を、第１の音声用エンコーダ４５３Ａにて例えばＡＣ−３に基づいて符号化処理させる。また、例えば録画先が外部メディアの場合、デジタル信号に変換された映像データや画像データなどのコンテンツ情報を、第２の映像用エンコーダ４５２Ｂにて例えばＭＰＥＧ−４に基づいて符号化処理させるとともに、デジタル信号に変換された音声データや画像データなどのコンテンツ情報を、第２の音声用エンコーダ４５３Ｂにて符号化処理させる。
【００５５】
そして、第１の映像用エンコーダ４５２Ａで符号化した映像データや画像データなどのコンテンツ情報と、第１の音声用エンコーダ４５３Ａで符号化した音声データや音楽データなどのコンテンツ情報とは、第１のマルチプレクサ４５４Ａにて単一チャンネルとして１つのまとまった信号のコンテンツ情報に多重化処理される。また、第２の映像用エンコーダ４５２Ｂで符号化した映像データや画像データなどのコンテンツ情報と、第２の音声用エンコーダ４５３Ｂで符号化した音声データや音楽データなどのコンテンツ情報とは、第２のマルチプレクサ４５４Ｂにて単一チャンネルとして１つのまとまった信号のコンテンツ情報に多重化処理される。この後、システム制御部４５５Ｂは、ストリームスイッチャ４５５Ａを制御して、録画する旨の信号とともに入力手段４１０で入力された録画先の信号に基づいて、第１のマルチプレクサ４５４Ａで多重化されたコンテンツ情報およびこのコンテンツ情報を再生させるためのスクリプト情報をドライブ機構部４２０あるいはＨＤ部４３０へ出力させる、あるいは、第２のマルチプレクサ４５４Ｂで多重化されたコンテンツ情報およびこのコンテンツ情報のスクリプト情報を外部メディア部４４０へ出力させる。この出力されるコンテンツ情報は例えば図５（Ａ）に示すように、スクリプト情報は例えば図６（Ａ）に示すように、ドライブ機構部４２０に装着された記録媒体、あるいはＨＤ部４３０のＨＤ４３１、または外部メディア部４４０に装着された外部メディアに適宜記録される。
【００５６】
（コンテンツ情報の編集）
次に、コンテンツ情報を編集する編集動作について図面を参照して説明する。コンテンツ情報の編集に際して、利用者は所定のコンテンツ情報を編集する旨を入力手段４１０で入力操作する。この入力操作により、情報処理装置４００の制御手段４６０は、外部メディア部４４０を制御し、装着されている外部メディアに編集対象のコンテンツ情報が記録されているか否かを判断する。そして、外部メディアに編集対象のコンテンツ情報が記録されていると判断した場合、例えば情報処理装置４００に設けられた図示しない表示装置にその旨を表示させて利用者に報知する。この報知により、利用者は、外部メディアを情報処理装置４００から取り外し、情報編集装置３００へ装着する。
【００５７】
一方、制御手段４６０が外部メディアに編集対象のコンテンツ情報が記録されていないと判断した場合、利用者はＨＤ４３１あるいは記録媒体に記録されているコンテンツ情報を選択して外部メディアに記録させる旨を入力手段４１０にて適宜入力操作する。この入力操作により、システム制御部４５５Ｂは、情報取得手段４６１によりドライブ機構部４２０あるいはＨＤ部４３０を制御して記録媒体あるいはＨＤ４３１から編集対象のコンテンツ情報を取得し、記録手段４６３により外部メディアに記録させる処理をする。
【００５８】
具体的には、システム制御部４５５Ｂがストリームスイッチャ４５５Ａを制御し、ストリームスイッチ４５５Ａが記録媒体あるいはＨＤ４３１からコンテンツ情報を取得する。このコンテンツ情報は、デマルチプレクサ４５６で多重化されている取得したコンテンツ情報を、映像データや画像データなどのコンテンツ情報と、音声データや音楽データなどのコンテンツ情報とに分割する。さらに、分割された映像データや画像データなどのコンテンツ情報は、映像デコーダ４５７Ａにて例えばＭＰＥＧ方式で復号化されるとともに、音声データや音楽データなどのコンテンツ情報は音声デコード４５７Ｂにて復号化される。この後、システム制御部４５５Ｂは、復号化された映像データや画像データなどのコンテンツ情報を第２の映像用エンコーダ４５２Ｂにて例えばＭＰＥＧ−４に基づいて符号化処理させるとともに、復号化された音声データや画像データなどのコンテンツ情報を第２の音声用エンコーダ４５３Ｂにて符号化処理させる。この後、上述したように、第２の映像用エンコーダ４５２Ｂで符号化した映像データや画像データなどのコンテンツ情報と、第２の音声用エンコーダ４５３Ｂで符号化した音声データや音楽データなどのコンテンツ情報とを、第２のマルチプレクサ４５４Ｂにて単一チャンネルとして１つのまとまった信号のコンテンツ情報に多重化処理する。そして、システム制御部４５５Ｂは、ストリームスイッチャ４５５Ａを制御して、第２のマルチプレクサ４５４Ｂで多重化されたコンテンツ情報を外部メディア部４４０へ出力させ、外部メディアに編集対象のコンテンツ情報を記録させる。そして、上述したように、編集対象のコンテンツ情報が記録された外部メディアは、利用者により情報処理装置４００から取り外され、情報編集装置３００へ装着される。
【００５９】
一方、情報編集装置３００は、利用者のコンテンツ情報を編集する旨の端末入力部３１０の入力操作により、端末制御手段３５０の端末情報取得手段３５１が端末外部メディア部３４０を制御して装着されている外部メディアから編集対象のコンテンツ情報を取得する。そして、端末制御手段３５０は、端末入力部３１０による所定の入力操作に基づいて、端末表示装置３２０および端末スピーカ装置３３０のうちの少なくともいずれか一方を適宜制御し、取得したコンテンツ情報を画面表示や音声出力、すなわち再生させる。この再生状態を認識した利用者は、端末入力部３１０を適宜入力操作し、例えば図５（Ｂ）に示すような再生させるコンテンツ情報のデータ領域を設定する。例えば、削除するデータ範囲の時間軸における始めの位置（図５（Ｂ）中のＣ）と終わりの位置（図５（Ｂ）中のＤ）とを入力操作する。この入力操作により、端末制御手段３５０の指令情報生成手段３５２は、再生されるコンテンツ情報のデータ領域に対応した例えば図７に示すような編集スクリプト情報を生成する。なお、図７において、「DELL C-D」がスクリプト情報における出力範囲情報に相当する。
【００６０】
そして、端末制御手段３５０の端末情報送出手段３５３は、端末外部メディア部３４０を適宜制御し、指令情報生成手段３５２で生成した編集スクリプト情報を外部メディアに記録させる。この記録を例えば端末表示装置３２０にて表示される案内により認識した利用者は、外部メディアを取り外して端末処理装置４００に装着し、入力手段４１０にて編集内容を設定する旨を入力操作する。この入力操作により、情報処理装置４００の制御手段４６０は、指令情報取得手段４６２が外部メディア部４４０を制御して外部メディアに記録されている編集スクリプト情報を取得する。そして、制御手段４６０の記録手段４６３は、ドライブ機構部４２０あるいはＨＤ部４３０を適宜制御し、指令情報取得手段４６２で取得した編集スクリプト情報を、例えば図６（Ｂ）に示すように記録媒体あるいはＨＤ４３１に記録させる。この記録としては、例えば記録媒体のＶＭＧＩに記録させる。なお、既にあるスクリプト情報を削除して新たに編集スクリプト情報を記録したり、スクリプト情報とは別に記録したりするなど、いずれの方法で記録することができる。なお、図６（Ｂ）において、「Cell#1 A-C」、「Cell#1 A-C」、「Cell#1」、「Cell#2」がスクリプト情報における出力範囲情報に相当する。
【００６１】
（コンテンツ情報の再生）
次に、記録したコンテンツ情報を再生する再生動作について説明する。コンテンツ情報の再生に際して、利用者は所定のコンテンツ情報を再生する旨を入力手段４１０で入力操作する。この入力操作により、情報処理装置４００の制御手段４６０は、ドライブ機構部４２０あるいはＨＤ部４３０または外部メディア部４４０を適宜制御し、記録媒体あるいはＨＤ４３１または外部メディアから再生対象のコンテンツ情報およびこのコンテンツ情報を再生するための図６（Ａ）に示すようなスクリプト情報あるいは図６（Ｂ）に示すような編集スクリプト情報を検索する。そして、制御手段４６０は、再生対象のコンテンツ情報とスクリプト情報あるいは編集スクリプト情報を取得すると、入力手段４１０の所定の入力操作に基づいて、情報処理手段４５０にて再生するための処理をして再生させる。
【００６２】
具体的には、システム制御部４５５Ｂがメモリに記憶された再生対象に関する情報に基づいて、ストリームスイッチャ４５５Ａにてドライブ機構部４２０あるいはＨＤ部４３０または外部メディア部４４０から検索対象のコンテンツ情報を検索して取得するとともに、このコンテンツ情報のスクリプト情報および編集スクリプト情報を検索して取得する。この検索の際、再生対象のコンテンツ情報に対してスクリプト情報のみならず、編集スクリプト情報が記録されている場合、スクリプト情報で再生させるか編集スクリプト情報で再生させるかの設定を促す旨を、例えば情報処理装置４００に設けられた図示しない表示装置に表示させる制御をする。そして、利用者が入力手段４１０による入力操作にて選択したスクリプト情報あるいは編集スクリプト情報をメモリ４５５Ｃに記憶させる。
【００６３】
そして、取得したコンテンツ情報は、メモリに記憶されたスクリプト情報あるいは編集スクリプト情報に基づいて、再生処理をする。すなわち、デマルチプレクサ４５６で多重化されている取得したコンテンツ情報を、映像データや画像データなどのコンテンツ情報と、音声データや音楽データなどのコンテンツ情報とに分割する。さらに、分割された映像データや画像データなどのコンテンツ情報は、映像デコーダ４５７Ａにて例えばＭＰＥＧ方式で復号化されるとともに、音声データや音楽データなどのコンテンツ情報は音声デコード４５７Ｂにて復号化される。この後、映像用Ｄ／Ａコンバータ４５８Ａにより復号化された映像データや画像データなどのデジタル信号のコンテンツ情報をアナログ信号に変換するとともに、音声用Ｄ／Ａコンバータ４５８Ｂにより復号化された音声データや音楽データなどのデジタル信号のコンテンツ情報をアナログ信号に変換する。さらに、変換されたアナログ信号の映像データや画像データなどのコンテンツ情報は映像用出力端子４８１から出力され、アナログ信号の音声データや音楽データなどのコンテンツ情報は音声用出力端子４８２から出力される。これらコンテンツ情報の出力により、映像用出力端子４８１に接続された表示装置２１０が映像データや画像データなどのコンテンツ情報を、スクリプト情報あるいは編集スクリプト情報にしたがって画面表示し、音声用出力端子４８２に接続されたスピーカ装置２２０が音声データや音楽データなどのコンテンツ情報を、スクリプト情報あるいは編集スクリプト情報にしたがって音声出力し、記録されたコンテンツ情報が、録画の状態のまま、あるいは編集された内容で再生される。
【００６４】
〔記録・再生システムの作用効果〕
上述したように、上記実施の形態では、表示装置２１０やスピーカ装置２２０で再生させるコンテンツ情報を情報取得手段４６１にて取得し、記録手段４６３にて外部メディアに記録させる。利用者が情報編集装置３００を利用して編集する際にコンテンツ情報が記録された外部メディアを情報編集装置３００に装着してコンテンツ情報を情報処理装置４００から情報編集装置３００で端末情報取得手段３５１にて取得させ、このコンテンツ情報を端末入力部３１０による入力操作にて再生させる状態であるデータ領域を設定して編集スクリプト情報を指令情報生成手段３５２にて生成させ外部メディアに記録させる。そして、外部メディアを再び情報処理装置４００に装着して編集スクリプト情報を指令情報取得手段４６２にて取得させ、この取得した編集スクリプト情報に基づいてコンテンツ情報が再生されるように情報処理手段４５０にて処理している。このため、例えば携帯する情報編集装置３００にて適宜空いた時間に編集処理し、その内容を情報処理装置４００へ転送させればよく、従来の情報処理装置４００にて表示装置２１０やスピーカ装置２２０にてコンテンツ情報を再生しつつ編集処理するなどが必要なく、効率的なコンテンツ情報の編集処理が容易にできる。
【００６５】
また、コンテンツ情報を編集するために情報処理装置４００から情報編集装置３００へ送出、および編集した編集スクリプト情報を情報編集装置３００から情報処理装置４００へ送出する構成として外部メディアを用いている。このため、簡単な構成でコンテンツ情報の転送および編集スクリプト情報の転送ができ、既存の外部メディアを利用する携帯電話などを有効利用できるとともに、通信コストも掛からず、効率的な編集処理が容易に得られる。
【００６６】
さらに、記録媒体に記録されたコンテンツ情報を読み取って情報編集装置３００に送出して取得させ編集し、編集した編集スクリプト情報を再び記録媒体に記録している。このため、他の情報処理装置４００で記録媒体を再生させる場合でも、編集した内容で再生させることができる。さらに、編集スクリプト情報を別途記憶させるためのメモリやＨＤ４３１を設けなくてもよく、構成の簡略化が容易に図れる。
【００６７】
そして、編集する情報として、映像データや音声データなどのストリームデータのコンテンツ情報として、このコンテンツ情報の再生させる範囲を設定して出力範囲情報を有した編集スクリプト情報を生成して編集処理している。このため、簡単なデータ処理で編集でき、構成の簡略化や処理効率の向上が容易に図れる。
【００６８】
一方、情報編集装置３００として携帯型としている。このため、利用者毎のタイミングで適宜編集でき、使い勝手がよい容易な編集処理ができる。さらに、情報処理装置３００にコンテンツ情報を表示させる端末表示装置３２０や音声出力させる端末スピーカ装置３３０を設けるとともに、編集スクリプト情報を設定して生成させる端末入力部３１０とを設けている。このため、コンテンツ情報を適宜再生させつつ編集させることが容易にできる。特に、表示装置および入力装置を備えた携帯電話が利用でき、利用の拡大が容易に図れる。
【００６９】
そして、情報処理装置４００と情報編集装置３００とのシステム構成としている。このため、上述したように、情報編集装置３００で編集して適宜情報処理装置４００に編集内容を転送させることで、利用者毎のタイミングで適宜編集できる効率的な編集処理が容易に得られ、編集するための構成の構築が容易にできるとともに利用の拡大も容易に図れる。
【００７０】
また、表示装置２１０やスピーカ装置２２０を設けた記録・再生システムとすることで、コンテンツ情報の編集のみならず、編集した内容での再生もできる。例えば、情報処理装置４００として、表示装置２１０およびスピーカ装置２２０を一体的に備えた構成についても適用でき、情報処理装置４００を携帯型などとすることで、利用者毎のタイミングで編集した内容でのコンテンツ情報の再生ができる。
【００７１】
〔実施の形態の変形〕
なお、本発明は、上述した一実施の形態に限定されるものではなく、本発明の目的を達成できる範囲で以下に示される変形をも含むものである。
【００７２】
すなわち、編集処理する情報として、例えば映像データや音声データを有するコンテンツ情報で説明したが、これに限らず、例えば映像データや画像データのみ、あるいは音声データや音楽データのみでもよく、さらには他のプログラム情報やテキストデータ、制御信号など、いずれの情報を対象とすることができる。また、記録媒体としては、ＤＶＤ−ＲＯＭ（Digital Versatile Disc - Read Only Memory）、ＣＤ−ＤＡ（Compact Disk-Digital Audio）、ＣＤ−ＲＯＭ（Compact Disk-Read Only Memory）、ＤＶＤ−Ａｕｄｉｏ、ＤＶＤ−ＲＡＭ（Digital Versatile Disc-Random Access Memory）、ＤＶＤ−Ｒ（Digital Versatile Disc-Recordable）、ＤＶＤ−ＲＷ（Digital Versatile Disc - ReWritable）、などの光ディスク、光磁気（ＭＯ：magneto-optical）ディスク、ハードディスクやフレキシブルディスクなどの磁気ディスク、あるいは磁気テープ、メモリーカード、ＩＣ（Integrated Circuit）カードなど、情報を記録可能ないずれの構成が利用できる。
【００７３】
そして、情報処理装置４００として、コンテンツ情報を再生可能に処理する情報処理手段４５０を設けた構成について説明したが、再生させる処理としては、他の装置を利用し、コンテンツ情報を情報編集装置３００で編集できるように情報を処理するのみ、例えば編集する情報を取得して情報編集装置３００へ送出させ、編集された情報の編集スクリプト情報を取得し、この編集スクリプト情報に基づいて情報が適宜出力されるようにすればよい。さらに、記録も可能な構成として説明したが、別の構成を設けて記録を別途実施させてもよい。
【００７４】
また、コンテンツ情報を編集するために情報処理装置４００から情報編集装置３００へ送出、および編集した編集スクリプト情報を情報編集装置３００から情報処理装置４００へ送出する構成として外部メディアを用いて説明したが、上述したように、例えば通信手段により無線媒体にて送受信させる構成としてもよい。この構成によれば、外部メディアを利用するための構成および外部メディアの着脱作業などが不要となり、構成の簡略化や効率的な編集処理がより容易に得られる。さらに、ドライブ機構部４２０およびＨＤ部４３０の双方を設けた情報処理装置４００の構成について説明したが、いずれか一方のみ、あるいは複数のドライブ機構部４２０やＨＤ部４３０を設けた構成、さらには外部メディア部４４０を複数設けて外部メディアの管理情報を情報編集装置３００に装着可能な外部メディアに転送させて編集させる構成などとすることもできる。
【００７５】
さらに、編集するコンテンツ情報として、記録媒体に記録されたコンテンツ情報を編集して説明したが、例えばＨＤ４３１に記録されたコンテンツ情報などの他の記録媒体を対象としても、同様にそのコンテンツ情報を外部メディアあるいは通信により情報編集装置３００に取得させて編集すればよい。そして、編集作業としては、情報処理装置４００で編集できる機能を付加してもよい。
【００７６】
そして、情報編集装置３００として携帯型で説明したが、携帯型でなくてもよい。例えば、情報処理装置４００に複数の情報編集装置３００を送受信可能にネットワーク状に接続して各情報編集装置３００で適宜編集して情報処理装置４００で編集内容を統括して情報を出力させるなどもできる。このような構成としても、情報処理装置４００で編集する場合に比して効率よく容易に編集できる。なお、情報処理装置４００および情報編集装置３００で情報を転送させるネットワークとしては、例えば、ＴＣＰ／ＩＰなどの汎用のプロトコルに基づくインターネット、イントラネット、ＬＡＮ（Local Area Network）、無線媒体により情報が送受信可能な複数の基地局がネットワークを構成する通信回線網や放送網などのネットワーク、さらには、直接送受信するための媒体となる無線媒体自体などが例示できるが、これらに限らず、送受信させるいずれの構成が利用できる。また、無線媒体としては、電波、光、音波、電磁波などのいずれの媒体をも適用できる。
【００７７】
〔実施の形態の作用効果〕
上述したように、上記実施の形態では、表示装置２１０やスピーカ装置２２０で再生させるコンテンツ情報を情報取得手段４６１にて取得し、記録手段４６３にて外部メディアに記録させる。利用者が情報編集装置３００を利用して編集する際にコンテンツ情報が記録された外部メディアを情報編集装置３００に装着してコンテンツ情報を情報処理装置４００から情報編集装置３００で端末情報取得手段３５１にて取得させ、このコンテンツ情報を情報編集装置３００で入力操作にて再生させる状態であるデータ領域を設定して編集スクリプト情報を生成させ外部メディアに記録させ、外部メディアを再び情報処理装置４００に装着して編集スクリプト情報を指令情報取得手段４６２にて取得させ、この取得した編集スクリプト情報に基づいてコンテンツ情報が再生されるように記録している。このため、例えば携帯する情報編集装置３００にて適宜空いた時間に編集処理し、その内容を情報処理装置４００へ転送させればよく、従来の情報処理装置４００にて表示装置２１０やスピーカ装置２２０にてコンテンツ情報を再生しつつ編集処理するなどが必要なく、効率的なコンテンツ情報の編集処理が容易にできる。
【００７８】
また、上記実施の形態では、情報処理装置４００から表示装置２１０やスピーカ装置２２０で再生させるコンテンツ情報を端末情報取得手段３５１にて取得し、端末表示装置３２０や端末スピーカ装置３３０で再生させ、端末入力部３１０による入力操作に基づいて指令情報生成手段３５２により再生させる状態である所定のデータ領域に関する出力範囲情報を有した編集スクリプト情報を生成し、端末情報送出手段３５３にて外部メディアに記録させ、外部メディアにより情報処理装置４００に編集スクリプト情報を送出させている。このため、例えば携帯する情報編集装置３００にて適宜空いた時間に編集処理し、その内容を情報処理装置４００へ転送させればよく、従来の情報処理装置４００にて表示装置２１０やスピーカ装置２２０にてコンテンツ情報を再生しつつ編集処理するなどが必要なく、効率的なコンテンツ情報の編集処理が容易にできる。
【図面の簡単な説明】
【００７９】
【図１】本発明の一実施の形態にかかる記録・再生システムの概略構成を示すブロック図である。
【図２】前記一実施の形態における情報処理装置の概略構成を示すブロック図である。
【図３】前記一実施の形態における情報編集装置の概略構成を示すブロック図である。
【図４】前記一実施の形態における情報処理装置の具体的な構成を示すブロック図である。
【図５】前記一実施の形態における時間軸による概念的なコンテンツ情報を示す模式図で、（Ａ）は編集前の記録媒体に記録されたコンテンツ情報を示す模式図で、（Ｂ）は編集後のコンテンツ情報を示す模式図である。
【図６】前記一実施の形態におけるスクリプト情報を示す概念図で、（Ａ）は記録媒体に記録されたスクリプト情報を示す概念図で、（Ｂ）は編集後のスクリプト情報を示す概念図である。
【図７】前記一実施の形態における情報編集装置で生成したスクリプト情報を示す概念図である。
【符号の説明】
【００８０】
１００…再生システムである記録・再生システム
２００…再生装置
２１０…出力手段としての表示装置
２２０…出力手段としてのスピーカ装置
３００…端末装置である情報編集装置
３１０…端末入力手段としての端末入力部
３２０…端末出力手段としての端末表示装置
３３０…端末出力手段としての端末スピーカ装置
３５１…端末情報取得手段
３５２…指令情報生成手段
３５３…端末情報送出手段
４００…処理装置である情報処理装置
４５０…情報処理手段
４３１…記録媒体としてのＨＤ
４６１…情報取得手段
４６２…指令情報取得手段
４６３…情報送出手段としても機能する記録手段
【図１】
2005151362.tif 000003
【図２】
2005151362.tif 000004
【図３】
2005151362.tif 000005
【図４】
2005151362.tif 000006
【図５】
2005151362.tif 000007
【図６】
2005151362.tif 000008
【図７】
2005151362.tif 000009
【手続補正書】
【提出日】平成16年9月21日(2004.9.21)
【手続補正１】
【補正対象書類名】特許請求の範囲
【補正対象項目名】請求項１
【補正方法】変更
【補正の内容】
【請求項１】
出力手段にて出力される情報を取得する情報取得手段と、
前記取得した情報を送出する情報送出手段と、
前記送出される情報に基づいて端末装置にて生成される情報であって前記出力手段により前記情報を出力するときの出力状態に関する指令情報を、前記端末装置から取得する指令情報取得手段と、
取得した前記指令情報を、この指令情報の内容に基づいて前記情報が前記出力手段にて出力可能に記録媒体に記録する記録手段と、
を具備したことを特徴とした情報処理装置。
【手続補正２】
【補正対象書類名】特許請求の範囲
【補正対象項目名】請求項５
【補正方法】変更
【補正の内容】
【請求項５】
各種情報を記録可能な記録媒体に記録され出力手段にて出力される情報を編集処理する情報編集装置であって、
前記情報を読み取って前記出力手段にて出力可能に処理する処理装置から前記情報を取得する端末情報取得手段と、
前記取得した情報を出力する端末出力手段と、
前記情報を前記出力手段で出力させるときの出力状態に関する指令情報を生成する指令情報生成手段と、
生成した前記指令情報を前記処理装置へ送出する端末情報送出手段と、
を具備したことを特徴とした情報編集装置。
【手続補正３】
【補正対象書類名】特許請求の範囲
【補正対象項目名】請求項１０
【補正方法】変更
【補正の内容】
【請求項１０】
各種情報を記録可能な記録媒体に記録され出力手段にて出力される情報を編集処理する情報編集方法であって、
前記情報を読み取って前記出力手段にて出力可能に処理する処理装置から前記情報を取得し、
前記取得した情報について入力操作に基づいて前記出力手段で出力される情報に関する指令情報を生成し、
前記生成した指令情報の内容に基づいて前記情報が出力手段にて出力される状態に前記処理装置にて前記指令情報を取得して前記記録媒体に記録可能に前記指令情報を出力する
ことを特徴とする情報編集方法。
【手続補正４】
【補正対象書類名】明細書
【補正対象項目名】０００６
【補正方法】変更
【補正の内容】
【０００６】
請求項１に記載の発明は、出力手段にて出力される情報を取得する情報取得手段と、前記取得した情報を送出する情報送出手段と、前記送出される情報に基づいて端末装置にて生成される情報であって前記出力手段により前記情報を出力するときの出力状態に関する指令情報を、前記端末装置から取得する指令情報取得手段と、取得した前記指令情報を、この指令情報の内容に基づいて前記情報が前記出力手段にて出力可能に記録媒体に記録する記録手段と、を具備したことを特徴とした情報処理装置である。
【手続補正５】
【補正対象書類名】明細書
【補正対象項目名】０００７
【補正方法】変更
【補正の内容】
【０００７】
請求項５に記載の発明は、各種情報を記録可能な記録媒体に記録され出力手段にて出力される情報を編集処理する情報編集装置であって、前記情報を読み取って前記出力手段にて出力可能に処理する処理装置から前記情報を取得する端末情報取得手段と、前記取得した情報を出力する端末出力手段と、前記情報を前記出力手段で出力させるときの出力状態に関する指令情報を生成する指令情報生成手段と、生成した前記指令情報を前記処理装置へ送出する端末情報送出手段と、を具備したことを特徴とした情報編集装置である。
【手続補正６】
【補正対象書類名】明細書
【補正対象項目名】００１２
【補正方法】変更
【補正の内容】
【００１２】
請求項１０に記載の発明は、各種情報を記録可能な記録媒体に記録され出力手段にて出力される情報を編集処理する情報編集方法であって、前記情報を読み取って前記出力手段にて出力可能に処理する処理装置から前記情報を取得し、前記取得した情報について入力操作に基づいて前記出力手段で出力される情報に関する指令情報を生成し、前記生成した指令情報の内容に基づいて前記情報が出力手段にて出力される状態に前記処理装置にて前記指令情報を取得して前記記録媒体に記録可能に前記指令情報を出力することを特徴とする情報編集方法である。
【手続補正７】
【補正対象書類名】明細書
【補正対象項目名】００２２
【補正方法】変更
【補正の内容】
【００２２】
ドライブ機構部４２０は、制御手段４６０による制御にて、着脱可能に装着された記録媒体にコンテンツ情報やスクリプト情報などの各種情報を記録および記録された情報を読み取る。ここで、記録媒体として、例えばＤＶＤ−Ｒ（Digital Versatile Disc-Recordable）やＤＶＤ−ＲＷ（Digital Versatile Disc-ReWritable）、ＤＶＤ−ＲＡＭ（Digital Versatile Disc-Random Access Memory）などを例示して説明するが、これらに限られない。このドライブ機構部４２０は、例えば図示しないピックアップと、回転駆動手段と、図示しない送りモータと、を備えている。ピックアップは、光などを用いて記録媒体の情報記録面に記録されたデータを読み取りあるいは記録する。なお、光に限らず、磁気などを用いる構成でも適用できる。回転駆動手段は、例えば記録媒体を支持するターンテーブルおよび記録媒体を線速度または角速度一定に回転駆動させるスピンドルモータを備えている。送りモータは、ピックアップを情報記録面に平行で、かつその径方向に沿って移動させる。
【手続補正８】
【補正対象書類名】明細書
【補正対象項目名】００２５
【補正方法】変更
【補正の内容】
【００２５】
情報処理手段４５０は、制御手段４６０による制御にて、例えば情報処理装置４００に外部に臨んで設けられた入力端子４７０からコンテンツ情報を取得して処理する。また、情報処理手段４５０は、例えば情報処理装置４００に外部に臨んで設けられた出力端子４８０から、表示装置２１０あるいはスピーカ装置２２０で出力可能に処理する。なお、情報処理手段４５０における情報の入出力としては、入力端子４７０および出力端子４８０に代えて、例えば通信手段にて無線媒体を利用して入力処理する、入力あるいは表示装置２１０またはスピーカ装置２２０へ出力する構成としてもよい。
【手続補正９】
【補正対象書類名】明細書
【補正対象項目名】００３１
【補正方法】変更
【補正の内容】
【００３１】
端末入力部３１０は、情報処理装置４００の入力手段４１０と同様に、入力操作される図示しない各種操作ボタンや操作つまみなどを有している。この操作ボタンや操作つまみなどの入力操作の内容としては、例えば情報編集装置３００における動作内容の設定などの設定事項の他、情報編集装置３００で記録媒体に記録されたコンテンツ情報を再生させる状態、すなわち再生させる範囲であるデータ領域を特定する出力範囲情報を有したスクリプト情報などである。そして、端末入力部３１０は、入力操作により、所定の信号を端末制御手段３５０へ適宜出力して設定事項やスクリプト情報などを設定させる。この端末入力部３１０においても、入力手段４１０と同様に、タッチパネルや音声入力などの各種構成が適用できる。
【手続補正１０】
【補正対象書類名】明細書
【補正対象項目名】００３７
【補正方法】変更
【補正の内容】
【００３７】
指令情報生成手段３５２は、所定の入力操作により端末入力部３１０から出力される信号に基づいて、編集にて所定のデータ領域を再生させるコンテンツ情報の上述した出力範囲情報を有したスクリプト情報である編集スクリプト情報を生成する。この編集スクリプト情報は、例えば端末制御手段３５０が端末表示装置３２０を制御して、コンテンツ情報を編集するための表示画面を表示させ、この表示画面に基づいて利用者が端末入力部３１０によりコンテンツ情報を再生させるデータ領域を特定する入力操作に基づいて生成される。そして、指令情報生成手段３５２は、生成した編集スクリプト情報を端末情報送出手段３５３へ出力する。
【手続補正１１】
【補正対象書類名】明細書
【補正対象項目名】００４６
【補正方法】変更
【補正の内容】
【００４６】
また、第１のマルチプレクサ４５４Ａおよび第２のマルチプレクサ４５４Ｂには、ストリームスイッチャ４５５Ａが接続されている。さらに、ストリームスイッチャ４５５Ａには、例えばＣＰＵ（Central Processing Unit）などを備えたシステム制御部４５５Ｂが接続されている。すなわち、ストリームスイッチャ４５５Ａおよびシステム制御部４５５Ｂにて、情報取得手段４６１、指令情報取得手段４６２および記録手段４６３が構成される。そして、ストリームスイッチャ４５５Ａは、システム制御部４５５Ｂからの制御信号に基づいて、第１のマルチプレクサ４５４Ａおよび第２のマルチプレクサ４５４Ｂから出力される多重化された信号を、ドライブ機構部４２０あるいはＨＤ部４３０または外部メディア部４４０へ出力し、記録媒体あるいはＨＤ４３１または外部メディアにコンテンツ情報を記録させる。なお、システム制御部４５５Ｂからの制御信号は、例えば入力手段４１０における入力操作により設定された設定事項に関し、このシステム制御部４５５Ｂに接続されたメモリ４５５Ｃに記憶された信号に基づく。また、ストリームスイッチャ４５５Ａは、システム制御部４５５Ｂからの制御信号に基づいて、ドライブ機構部４２０あるいはＨＤ部４３０または外部メディア部４４０から各種情報を取得し、適宜出力する。
【手続補正１２】
【補正対象書類名】明細書
【補正対象項目名】００４８
【補正方法】変更
【補正の内容】
【００４８】
また、デマルチプレクサ４５６には、映像デコーダ４５７Ａと、音声デコーダ４５７Ｂと、が接続されている。映像デコーダ４５７Ａは、デマルチプレクサ４５６から出力される映像データや画像データなどのコンテンツ情報を例えばＭＰＥＧ方式で復号化し、出力する。また、音声デコーダ４５７Ｂは、デマルチプレクサ４５６から出力される音声データや音楽データなどのコンテンツ情報を復号化し、出力する。
【手続補正１３】
【補正対象書類名】明細書
【補正対象項目名】００５４
【補正方法】変更
【補正の内容】
【００５４】
すなわち、映像用入力端子４７１から入力される映像データや画像データなどのコンテンツ情報を映像用Ａ／Ｄコンバータ４５１Ａにてデジタル信号に変換するとともに、音声用入力端子４７２から入力される音声データや音楽データなどのコンテンツ情報を音声用Ａ／Ｄコンバータ４５１Ｂにてデジタル信号に変換する。この後、システム制御部４５５Ｂは、録画する旨の信号とともに入力手段４１０で入力された録画先の信号に基づき、デジタル信号に変換されたコンテンツ情報の符号化処理をする。すなわち、例えば録画先がＨＤ４３１および記録媒体のうちの少なくともいずれか一方である場合、デジタル信号に変換された映像データや画像データなどのコンテンツ情報を、第１の映像用エンコーダ４５２Ａにて例えばＭＰＥＧ−１／２に基づいて符号化処理させるとともに、デジタル信号に変換された音声データや音楽データなどのコンテンツ情報を、第１の音声用エンコーダ４５３Ａにて例えばＡＣ−３に基づいて符号化処理させる。また、例えば録画先が外部メディアの場合、デジタル信号に変換された映像データや画像データなどのコンテンツ情報を、第２の映像用エンコーダ４５２Ｂにて例えばＭＰＥＧ−４に基づいて符号化処理させるとともに、デジタル信号に変換された音声データや音楽データなどのコンテンツ情報を、第２の音声用エンコーダ４５３Ｂにて符号化処理させる。
【手続補正１４】
【補正対象書類名】明細書
【補正対象項目名】００５８
【補正方法】変更
【補正の内容】
【００５８】
具体的には、システム制御部４５５Ｂがストリームスイッチャ４５５Ａを制御し、ストリームスイッチャ４５５Ａが記録媒体あるいはＨＤ４３１からコンテンツ情報を取得する。このコンテンツ情報は、デマルチプレクサ４５６で多重化されている取得したコンテンツ情報を、映像データや画像データなどのコンテンツ情報と、音声データや音楽データなどのコンテンツ情報とに分割する。さらに、分割された映像データや画像データなどのコンテンツ情報は、映像デコーダ４５７Ａにて例えばＭＰＥＧ方式で復号化されるとともに、音声データや音楽データなどのコンテンツ情報は音声デコード４５７Ｂにて復号化される。この後、システム制御部４５５Ｂは、復号化された映像データや画像データなどのコンテンツ情報を第２の映像用エンコーダ４５２Ｂにて例えばＭＰＥＧ−４に基づいて符号化処理させるとともに、復号化された音声データや音楽データなどのコンテンツ情報を第２の音声用エンコーダ４５３Ｂにて符号化処理させる。この後、上述したように、第２の映像用エンコーダ４５２Ｂで符号化した映像データや画像データなどのコンテンツ情報と、第２の音声用エンコーダ４５３Ｂで符号化した音声データや音楽データなどのコンテンツ情報とを、第２のマルチプレクサ４５４Ｂにて単一チャンネルとして１つのまとまった信号のコンテンツ情報に多重化処理する。そして、システム制御部４５５Ｂは、ストリームスイッチャ４５５Ａを制御して、第２のマルチプレクサ４５４Ｂで多重化されたコンテンツ情報を外部メディア部４４０へ出力させ、外部メディアに編集対象のコンテンツ情報を記録させる。そして、上述したように、編集対象のコンテンツ情報が記録された外部メディアは、利用者により情報処理装置４００から取り外され、情報編集装置３００へ装着される。
【手続補正１５】
【補正対象書類名】明細書
【補正対象項目名】００６０
【補正方法】変更
【補正の内容】
【００６０】
そして、端末制御手段３５０の端末情報送出手段３５３は、端末外部メディア部３４０を適宜制御し、指令情報生成手段３５２で生成した編集スクリプト情報を外部メディアに記録させる。この記録を例えば端末表示装置３２０にて表示される案内により認識した利用者は、外部メディアを取り外して情報処理装置４００に装着し、入力手段４１０にて編集内容を設定する旨を入力操作する。この入力操作により、情報処理装置４００の制御手段４６０は、指令情報取得手段４６２が外部メディア部４４０を制御して外部メディアに記録されている編集スクリプト情報を取得する。そして、制御手段４６０の記録手段４６３は、ドライブ機構部４２０あるいはＨＤ部４３０を適宜制御し、指令情報取得手段４６２で取得した編集スクリプト情報を、例えば図６（Ｂ）に示すように記録媒体あるいはＨＤ４３１に記録させる。この記録としては、例えば記録媒体のＶＭＧＩに記録させる。なお、既にあるスクリプト情報を削除して新たに編集スクリプト情報を記録したり、スクリプト情報とは別に記録したりするなど、いずれの方法で記録することができる。なお、図６（Ｂ）において、「Cell#1 A-C」、「Cell#1 A-C」、「Cell#1」、「Cell#2」がスクリプト情報における出力範囲情報に相当する。
【手続補正１６】
【補正対象書類名】明細書
【補正対象項目名】００６８
【補正方法】変更
【補正の内容】
【００６８】
一方、情報編集装置３００として携帯型としている。このため、利用者毎のタイミングで適宜編集でき、使い勝手がよい容易な編集処理ができる。さらに、情報編集装置３００にコンテンツ情報を表示させる端末表示装置３２０や音声出力させる端末スピーカ装置３３０を設けるとともに、編集スクリプト情報を設定して生成させる端末入力部３１０とを設けている。このため、コンテンツ情報を適宜再生させつつ編集させることが容易にできる。特に、表示装置および入力装置を備えた携帯電話が利用でき、利用の拡大が容易に図れる。